(57)【要約】      （修正有）【課題】被監視者における所定の状態を適正に判定できる被監視者監視システムを提供する。【解決手段】被監視者監視システムにおいて、管理サーバ装置ＳＶは、事前に設定された設定領域（各居室ＲＭ）とセンサ装置ＳＵ−１〜ＤＵ−４によって検知された被監視者Ｏｂ−１〜Ｏｂ−４の状態との組み合わせに基づいて被監視者のイベントを判定する。この判定は、設定領域である第一領域に存在する被監視者のイベントを判定する第一判定と、設定領域であって第一領域内とは異なる第二領域に存在する被監視者のイベントを判定する第二判定とを含む。第一判定と第二判定とは、検知された被監視者の状態が同じであっても、被監視者のイベントを互いに異なるイベントと判定する。【選択図】図１
2020098619.tif 000002
【特許請求の範囲】
【請求項１】
コンピュータに、事前に設定された設定領域と検知された被監視者の状態との組み合わせに基づいて前記被監視者のイベントを判定する判定ステップを実行させるプログラムであって、
前記判定ステップは、
前記設定領域である第一領域に存在する前記被監視者のイベントを判定する第一判定ステップと、
前記設定領域であって前記第一領域内とは異なる第二領域に存在する前記被監視者のイベントを判定する第二判定ステップと、を含み、
前記第一判定ステップと前記第二判定ステップとは、検知された前記被監視者の状態が同じであっても、前記被監視者のイベントを互いに異なるイベントと判定する、
プログラム。
【請求項２】
前記コンピュータに、前記設定領域として寝具領域以外の領域を設定する設定ステップを前記判定ステップより前に実行させる、
請求項１に記載のプログラム。
【請求項３】
前記コンピュータに、前記設定領域として同一居室内の異なる複数領域を設定する複数領域設定ステップを前記判定ステップより前に実行させる、
請求項１または請求項２に記載のプログラム。
【請求項４】
前記被監視者のイベントは、前記被監視者の転倒を含む、
請求項１〜３のいずれか一項に記載のプログラム。
【請求項５】
前記被監視者のイベントは、前記被監視者の呼吸動作を含む、
請求項１〜４のいずれか一項に記載のプログラム。
【請求項６】
請求項１〜５のいずれか一項に記載のプログラムと、
前記コンピュータと、を含む、
情報処理装置。
【請求項７】
請求項６に記載の情報処理装置を含む、
被監視者監視システム。
【発明の詳細な説明】
【技術分野】
【０００１】
本発明は、監視すべき監視対象である被監視者を複数の機器を用いて監視する被監視者監視システム、情報処理装置およびプログラムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看介護者）は、高齢化社会ではない通常の社会で生じる要看介護者よりもその増加が見込まれる。そして、我が国は、例えば２０１３年の合計特殊出生率が１．４３という少子化社会でもある。そのため、高齢な要看護者等を高齢の家族（配偶者、子、兄弟）が介護する老老介護も起きて来ている。
【０００３】
要看介護者は、病院や、老人福祉施設（日本の法令では老人短期入所施設、養護老人ホームおよび特別養護老人ホーム等）等の施設に入所し、その看護や介護を受ける。このような施設では、要看介護者が、例えばベッドからの転落や歩行中の転倒等によって怪我を負ったり、ベッドから抜け出して徘徊したりするなどの事態が生じ得る。このような事態に対し、可及的速やかに対応する必要がある。また、このような事態を放置しておくとさらに重大な事態に発展してしまう可能性もある。このため、前記施設では、看護師や介護士等は、定期的に巡視することによってその安否や様子を確認している。
【０００４】
しかしながら、要看介護者の増加数に対し看護師等の増加数が追い付かずに、看護業界や介護業界では、慢性的に人手不足になっている。さらに、日勤の時間帯に較べ、準夜勤や夜勤の時間帯では、看護師や介護士等の人数が減るため、一人当たりの業務負荷が増大するので、前記業務負荷の軽減が要請される。また、前記老老介護の事態は、前記施設でも例外ではなく、高齢の要看介護者を高齢の看護師等がケアすることもしばしば見られる。一般に高齢になると体力が衰えるため、健康であっても若い看護師等に比し看護等の負担が重くなり、また、その動きや判断も遅くなる。
【０００５】
このような人手不足や看護師等の負担を軽減するため、看護業務や介護業務を補完する技術が求められている。このため、近年では、要看介護者等の、監視すべき監視対象である被監視者を監視（モニタ）する被監視者監視技術が研究、開発されている。
【０００６】
このような技術の一つとして、例えば特許文献１に開示されたナースコールシステムがある。この特許文献１に開示されたナースコールシステムは、ベッドに設置されて患者が看護師を呼び出すためのナースコール子機と、ナースステーションに設置されて前記ナースコール子機による呼び出しに応答するためのナースコール親機とを有するナースコールシステムであって、ベッド上の患者をベッド上方から撮像するカメラと、前記カメラの撮像映像から、患者が上半身を起こした状態及び患者がベッド上から離れた状態のうち少なくとも一方の発生を判断して注意状態発生信号を出力する状態判断手段とを有し、前記ナースコール親機は、前記注意状態発生信号を受けて報知動作する報知手段を有する。そして、このナースコールシステムは、前記ナースコール子機からの呼び出しに応答するために看護師が携行する携帯端末と、前記注意状態発生信号を受けて、前記カメラの撮像映像を前記携帯端末に送信する通信制御手段とを有する。
【０００７】
一方、安否確認の点では、一人暮らしの独居者も前記要介護者等と同様であり、被監視対象者となる。
【０００８】
ところで、前記特許文献１では、前記状態判断手段に関し、「状態判断部２１は、患者の形状を抽出するアルゴリズムとして、例えば公知のＳＩＦＴ（Ｓｃａｌｅ  Ｉｎｖａｒｉａｎｔ  Ｆｅａｔｕｒｅ  Ｔｒａｎｓｆｏｒｍ）、あるいはＳＵＲＦ（Ｓｐｅｅｄｅｄ−Ｕｐ  Ｒｏｂｕｓｔ  Ｆｅａｔｕｒｅｓ）による特徴量を使用した識別方法により患者の状態を判断するよう構成されている」と記載されている（前記特許文献１の［００２１］段落）。このように前記特許文献１では、予め設定されたアルゴリズムに従って患者の状態を判断し、その判断結果を一律に報知している。
【０００９】
しかしながら、被監視者における所定の状態を判定する場合、被監視者における状態の態様は、例えば前記被監視者の個性等によって多種多様であるため、予め設定されたアルゴリズムで常に正確に判定することは、難しく、誤判定や判定漏れを避けることは、難しい。このため、予め設定されたアルゴリズムに従って判定された判定結果を一律に通報してしまうと、誤判定等の通報も含まれてしまう。この結果、通報を受けた監視者は、不必要な対応をしなければならなくなる。
【００１０】
また、監視者が通報を望む状態（言い換えれば監視者が通報を望まない状態）は、被監視者における例えば病状、介護レベルおよび癖等に応じて異なるという事情もある。
【先行技術文献】
【特許文献】
【００１１】
【特許文献１】特開２０１４−９０９１３号公報
【発明の概要】
【００１２】
本発明の目的は、被監視者における所定の状態を適正に判定できる被監視者監視システム、情報処理装置およびプログラムを提供することである。
【００１３】
本発明にかかる被監視者監視システム、情報処理装置およびプログラムは、事前に設定された設定領域と検知された被監視者の状態との組み合わせに基づいて前記被監視者のイベントを判定する。この判定は、前記設定領域である第一領域に存在する前記被監視者のイベントを判定する第一判定と、前記設定領域であって前記第一領域内とは異なる第二領域に存在する前記被監視者のイベントを判定する第二判定とを含む。前記第一判定と前記第二判定とは、検知された前記被監視者の状態が同じであっても、前記被監視者のイベントを互いに異なるイベントと判定する。
【００１４】
上記並びにその他の本発明の目的、特徴及び利点は、以下の詳細な記載と添付図面から明らかになるであろう。
【図面の簡単な説明】
【００１５】
【図１】実施形態における被監視者監視システムの構成を示す図である。
【図２】前記被監視者監視システムにおけるセンサ装置の構成を示す図である。
【図３】前記被監視者監視システムにおける管理サーバ装置の構成を示す図である。
【図４】前記被監視者監視システムにおける管理サーバ装置および携帯端末装置それぞれに記憶される監視情報テーブルの構成を示す図である。
【図５】前記管理サーバ装置に記憶される装置情報にかかる各テーブルの構成を示す図である。
【図６】前記管理サーバ装置に記憶される通報許否情報テーブルの構成を示す図である。
【図７】前記被監視者監視システムにおける携帯端末装置の構成を示す図である。
【図８】前記被監視者監視システムにおける第１態様の通報許否設定画面の構成を示す図である。
【図９】前記管理サーバ装置の通報に関する動作を示すフローチャートである。
【図１０】前記携帯端末装置に表示される待受け画面の一例を示す図である。
【図１１】前記携帯端末装置に表示される、静止画を表示した監視情報画面の一例を示す図である。
【図１２】前記携帯端末装置に表示される、ナースコール受付画面の一例を示す図である。
【図１３】前記被監視者監視システムにおける第２態様の通報許否設定画面の構成を示す図である。
【図１４】前記被監視者監視システムにおける第３態様の通報許否設定画面の構成を示す図である。
【発明を実施するための形態】
【００１６】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１７】
図１は、実施形態における被監視者監視システムの構成を示す図である。図２は、実施形態の被監視者監視システムにおけるセンサ装置の構成を示す図である。図３は、実施形態の被監視者監視システムにおける管理サーバ装置の構成を示す図である。図４は、実施形態の被監視者監視システムにおける管理サーバ装置および携帯端末装置それぞれに記憶される監視情報テーブルの構成を示す図である。図５は、実施形態の被監視者監視システムにおける管理サーバ装置に記憶される装置情報にかかる各テーブルの構成を示す図である。図５Ａは、通報先グループ情報テーブルを示し、図５Ｂは、グループ所属情報テーブルを示し、図５Ｃは、通信アドレステーブルを示す。図６は、実施形態の被監視者監視システムにおける管理サーバ装置に記憶される通報許否情報テーブルの構成を示す図である。図７は、実施形態の被監視者監視システムにおける携帯端末装置の構成を示す図である。
【００１８】
実施形態における被監視者監視システムは、監視すべき（見守るべき）監視対象（見守り対象）である被監視者（見守り対象者）Ｏｂを複数の機器を用いて監視する。この被監視者監視システムは、監視対象である被監視者における所定の状態を検知して通報するセンサ装置と、前記センサ装置と通信可能に接続され、前記センサ装置で検知され通報された所定の状態を前記センサ装置から受信して外部へ通報する中央処理装置とを備える。前記中央処理装置は、通信を行う通信部と、前記センサ装置で検知され通報された所定の状態を外部へ通報するか否かを表す許否情報と前記所定の状態とを対応付けた通報許否情報を記憶する通報許否情報記憶部と、前記センサ装置で検知され通報された所定の状態を前記センサ装置から前記通信部で受信した場合に、前記受信した所定の状態を前記通報許否情報記憶部に記憶された通報許否情報に基づいて前記通信部で外部へ通報する通報部とを備える。
【００１９】
このような被監視者監視システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００２０】
なお、後述から明らかなように、センサ装置ＳＵは、前記センサ装置の一例であり、管理サーバ装置ＳＶは、前記中央処理装置の一例である。また、前記固定端末装置ＳＰおよび携帯端末装置ＴＡそれぞれは、管理サーバ装置ＳＶからの通報を受ける端末装置の一例である。
【００２１】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーション等の複数の部屋を備える介護施設の建物に配設されている。
【００２２】
センサ装置ＳＵは、ネットワークＮＷを介して他の装置ＳＶ、ＳＰ、ＴＡと通信する通信機能等を備え、被監視者Ｏｂにおける所定の状態を検知してその検知結果を管理サーバ装置ＳＶへ送信し、ナースコールを受け付けてその旨を管理サーバ装置ＳＶへ送信し、端末装置ＳＰ、ＴＡとの間で音声通話を行う装置である。このようなセンサ装置ＳＵは、例えば、図２に示すように、センサ部１１と、センサ側音入出力部（ＳＵ音入出力部）１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００２３】
センサ部１１は、ＳＵ制御処理部１４に接続され、被監視者Ｏｂにおける予め設定された所定の状態を検知するために、ＳＵ制御処理部１４の制御に従って被監視者Ｏｂをセンシングするための装置である。センサ部１１には、前記所定の状態の種類およびその検知方法に応じた適宜な種類の装置が用いられる。例えば、前記所定の状態が起床、離床、転落、転倒、寝具上の位置および微体動異常であり、これら起床、離床、転落、転倒および寝具上の位置を画像から判定し、微体動異常をドップラシフトから判定する場合には、センサ部１１は、画像（画像データ）を生成するカメラ１１１およびドップラセンサ１１２等を備えて構成される。
【００２４】
カメラ１１１は、監視対象である被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像をＳＵ制御処理部１４へ出力する。好ましくは、被監視者Ｏｂ全体を撮像できる蓋然性が高いことから、前記カメラは、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、このカメラによって、被監視者Ｏｂを、被監視者Ｏｂの上方から撮像した画像、好ましくは前記頭部予定位置の直上から撮像した画像を取得する。前記画像には、静止画（静止画データ）および動画（動画データ）が含まれる。
【００２５】
このようなカメラ１１１は、可視光の画像を生成する装置であって良いが、比較的暗がりでも被監視者Ｏｂを監視できるように、本実施形態では、赤外線の画像を生成する赤外線カメラである。この赤外線カメラは、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。前記カメラの前記結像光学系は、本実施形態では、その配設された居室ＲＭ全体を撮像できる画角を持つ広角な光学系（いわゆる広角レンズ（魚眼レンズを含む））であることが好ましい。
【００２６】
ドップラセンサ１１２は、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。ドップラセンサ１１２は、このドップラ周波数成分の信号をドップラ信号として生成し、ＳＵ制御処理部１４へ出力する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。
【００２７】
ＳＵ音入出力部１２は、ＳＵ制御処理部１４に接続され、外部の音を取得してセンサ装置ＳＵに入力するための回路であって、ＳＵ制御処理部１４の制御に従って音を表す電気信号に応じた音を生成して出力するための回路である。ＳＵ音入出力部１２は、例えば、音の音響振動を電気信号に変換するマイクロホン等と、音の電気信号を音の音響振動に変換するスピーカ等とを備えて構成される。ＳＵ音入出力部１２は、外部の音を表す電気信号をＳＵ制御処理部１４へ出力し、また、ＳＵ制御処理部１４から入力された電気信号を音の音響振動に変換して出力する。
【００２８】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また、例えばＢｌｕｅｔｏｏｔｈ（登録商標）規格等の近距離無線通信でＳＵ制御処理部１４に接続されて良い。
【００２９】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００３０】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、被監視者Ｏｂに対する監視に関する所定の情報処理を実行する監視処理プログラム等の制御処理プログラムが含まれる。前記監視処理プログラムには、センサ部１１のセンシング結果に基づいて被監視者Ｏｂにおける所定の状態を検知し、その検知結果を管理サーバ装置ＳＶへ通報する行動検知処理プログラム、ナースコール受付操作部１３でナースコールを受け付けた場合にその旨を管理サーバ装置ＳＶへ通報し、ＳＵ音入出力部１２等を用いることで端末装置ＳＰ、ＴＡとの間で音声通話を行うＳＵナースコール処理プログラム、および、センサ部１１のカメラ１１１で生成した動画を、その動画を要求した端末装置ＳＰ、ＴＡへストリーミングで配信するＳＵストリーミング処理プログラム等が含まれる。前記各種の所定のデータには、自機の、センサ装置ＳＵを特定し識別するための識別子であるセンサ装置識別子（センサＩＤ）、および、管理サーバ装置ＳＶの通信アドレス等の各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００３１】
ＳＵ制御処理部１４は、センサ装置ＳＵの各部を当該各部の機能に応じてそれぞれ制御し、被監視者Ｏｂにおける所定の状態を検知してその検知結果を管理サーバ装置ＳＶへ送信し、ナースコールを受け付けてその旨を管理サーバ装置ＳＶへ送信し、端末装置ＳＰ、ＴＡとの間で音声通話を行うための回路である。本実施形態では、センサ部１１は、カメラを備えて構成されるので、ＳＵ制御処理部１４は、動画を含む画像を端末装置ＳＰ、ＴＡへ配信するための回路でもある。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、センサ側ナースコール処理部（ＳＵナースコール処理部）１４３およびセンサ側ストリーミング処理部（ＳＵストリーミング処理部）１４４を機能的に備える。
【００３２】
ＳＵ制御部１４１は、センサ装置ＳＵの各部を当該各部の機能に応じてそれぞれ制御し、センサ装置ＳＵの全体制御を司るものである。
【００３３】
行動検知処理部１４２は、センサ部１１のセンシング結果に基づいて被監視者Ｏｂにおける、予め設定された所定の状態を検知し、その検知結果（検知された所定の状態）をＳＵ通信ＩＦ部１５を介して管理サーバ装置ＳＶへ送信して通報するものである。本実施形態では、センサ部１１は、カメラ１１１およびドップラセンサ１１２を備えて構成されるので、行動検知処理部１４２は、これらで得られた結果に基づいて被監視者Ｏｂにおける所定の状態を検知する。
【００３４】
行動検知処理部１４２は、公知技術によって、カメラ１１１によって生成された画像に基づいて被監視者Ｏｂの起床、離床、転倒、転落および寝具上の位置を検知する。例えば、行動検知処理部１４２は、まず、前記カメラによって生成された画像から例えば背景差分法やフレーム差分法によって被監視者Ｏｂの人体領域として動体領域を抽出する。次に、行動検知処理部１４２は、この抽出した動体領域の縦横比（アスペクト比）から被監視者Ｏｂの姿勢（例えば立位、座位および横臥等）を判定し、この検出した動体領域の位置を検出する。そして、行動検知処理部１４２は、これら判定、検出した被監視者Ｏｂの姿勢および位置に基づいて前記起床、離床、転倒、転落および寝具上の位置の別を判定する。より詳しくは、行動検知処理部１４２は、例えば、横長なアスペクト比から前記アスペクト比が小さくなるに従って横臥、座位および立位の各姿勢が順次に判定され、寝具上における姿勢が横臥から座位へ変化した場合には起床と判定し、寝具内から立位の姿勢で寝具外へ変化した場合には離床と判定し、寝具の周囲で姿勢が横臥である場合には転落と判定し、そして、前記寝具の周囲の他で姿勢が横臥である場合には転倒と判定する。そして、行動検知処理部１４２は、寝具を短手方向に沿って右寄り領域、中央領域および左寄り領域の３領域に分割し、前記動体領域の重心位置が前記右寄り領域内に在る場合には寝具上の位置が前記右寄り領域と判定し、前記動体領域の重心位置が前記中央領域内に在る場合には寝具上の位置が前記中央領域と判定し、そして、前記動体領域の重心位置が前記左寄り領域内に在る場合には寝具上の位置が前記左寄り領域と判定する。なお、前記体動領域の重心位置は、前記体動領域全体の重心位置であって良く、また、前記体動領域における例えば体幹部分や頭部等の部分領域の重心位置であって良い。
【００３５】
行動検知処理部１４２は、ドップラセンサ１１２のドップラ信号に基づいて被監視者Ｏｂの呼吸動作に伴う胸部の体動（胸部の上下動）を求め、その胸部の体動における周期の乱れや予め設定された閾値以下である前記胸部の体動における振幅を検知すると、前記微体動異常であると判定する。
【００３６】
そして、行動検知処理部１４２は、被監視者Ｏｂにおける所定の状態を検知すると、この検知した状態の種類（この例では起床、離床、転倒、転落、寝具上の位置（右寄り領域、中央領域、左寄り領域）および微体動異常のうちの１または複数）を表す検知行動情報、前記所定の行動を検知した時刻であるイベント時刻、自機のセンサＩＤおよび前記検知の際に用いられた静止画（前記検知が複数の画像によって実施された場合には例えば最後の画像）を収容した通信信号（イベント通報通信信号）をＳＵ通信ＩＦ部１５を介して管理サーバ装置ＳＶへ送信する。
【００３７】
ＳＵナースコール処理部１４３は、ナースコール受付操作部１３でナースコールを受け付けた場合にその旨を管理サーバ装置ＳＶへ通報し、ＳＵ音入出力部１２等を用いることで端末装置ＳＰ、ＴＡとの間で音声通話を行うものである。より具体的には、ＳＵナースコール処理部１４３は、ナースコール受付操作部１３が入力操作されると、ナースコールを受け付けた旨を表すナースコール受付情報、ナースコールを受け付けた時刻であるイベント時刻および自機のセンサＩＤを収容した通信信号（イベント通報通信信号）をＳＵ通信ＩＦ部１５を介して管理サーバ装置ＳＶへ送信する。ＳＵナースコール処理部１４３は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３８】
ＳＵストリーミング処理部１４４は、センサ部１１としてのカメラで生成した動画を、その動画を要求した端末装置ＳＰ、ＴＡへストリーミングでＳＵ通信ＩＦ部１５を介して配信するものである。
【００３９】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００４０】
管理サーバ装置ＳＶは、ネットワークＮＷを介して他の装置ＳＵ、ＳＰ、ＴＡと通信する通信機能等を備え、センサ装置ＳＵから通報されたイベント通報通信信号を受信して被監視者Ｏｂに対する監視に関する情報（監視情報）を管理し、前記受信したイベント通報通信信号を所定の端末装置ＳＰ、ＴＡへ通報（再通報、転送、送信）し、クライアント（本実施形態では端末装置ＳＰ、ＴＡ等）の要求に応じたデータを前記クライアントに提供し、被監視者監視システムＭＳ全体を管理する装置である。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００４１】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備えて構成される。
【００４２】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラム等の制御処理プログラムが含まれる。前記ＳＶ監視処理プログラムには、センサ装置ＳＵからイベント通報通信信号を受信した場合に、被監視者Ｏｂに対する監視に関する監視情報をＳＶ監視情報記憶部２３１に記憶（記録）する監視情報記録プログラムや、センサ装置ＳＵで検知され通報された所定の状態を外部へ通報（再通報、転送、送信）する再通報プログラム等が含まれる。前記再通報プログラムには、センサ装置ＳＵで検知され通報された所定の状態を前記イベント通報通信信号の受信によって前記センサ装置ＳＵから受信した場合に、前記受信した所定の状態を後述の通報許否情報記憶部２３３に記憶された通報許否情報に基づいて外部へ通報するプログラム等が含まれる。前記各種の所定のデータには、自機の、管理サーバ装置ＳＶを特定し管理サーバ装置ＳＶを識別するためのサーバ識別子（サーバＩＤ）や、被監視者Ｏｂに対する監視に関する監視情報や、前記イベント通報通信信号の通報先等の装置に関する装置情報や、センサ装置ＳＵで検知した所定の状態を通報するか否かを表す許否情報と前記所定の状態とを対応付けた通報許否情報等の各プログラムを実行する上で必要なデータ等が含まれる。これら監視情報、装置情報および通報許否情報それぞれを記憶するために、ＳＶ記憶部２３は、サーバ側監視情報記憶部（ＳＶ監視情報記憶部）２３１、装置情報記憶部２３２および通報許否情報記憶部２３３を機能的に備える。
【００４３】
ＳＶ監視情報記憶部２３１は、被監視者Ｏｂに対する監視に関する前記監視情報を記憶するものである。前記監視情報は、本実施形態では、イベント通報通信信号に収容された前記検知行動情報による状態の種類またはナースコール受付情報によるナースコールの受付（イベント種別、すなわち、本実施形態では起床、離床、転倒、転落、寝具上の位置、微体動異常およびナースコール受付）、イベント時刻、センサＩＤおよび静止画、ならびに、ライブでの動画の取得先としてのセンサ装置ＳＵの通信アドレス（例えばＩＰアドレス等）、および、被監視者Ｏｂに対する例えば救命、看護、介護および介助等の対応（応対、対処）を実行する意思が携帯端末装置ＴＡに入力されたか否かを示す対応情報等を含み、これらは、互いに対応付けられてＳＶ監視情報記憶部２３１に記憶される。なお、前記イベント時刻に代え、前記イベント通報通信信号の受信時刻が用いられても良い。
【００４４】
この監視情報は、本実施形態では、テーブル形式でＳＶ監視情報記憶部２３１に記憶されている。この監視情報を登録する監視情報テーブルＭＴ−ＳＶは、例えば、図４に示すように、前記センサＩＤを登録するセンサＩＤフィールド５１−ＳＶと、センサＩＤフィールド５１−ＳＶに登録されたセンサＩＤに対応するセンサ装置ＳＵにかかる前記イベント種別を登録するイベント種別フィールド５１−ＳＶと、センサＩＤフィールド５１−ＳＶに登録されたセンサＩＤに対応するセンサ装置ＳＵにかかる前記イベント時刻を登録するイベント時刻フィールド５３−ＳＶと、センサＩＤフィールド５１−ＳＶに登録されたセンサＩＤに対応するセンサ装置ＳＵにかかる前記静止画を登録する静止画フィールド５４−ＳＶと、ライブでの動画の取得先として、センサＩＤフィールド５１−ＳＶに登録されたセンサＩＤに対応するセンサ装置ＳＵの通信アドレス（例えばＩＰアドレス等）を登録する動画フィールド５５−ＳＶと、センサＩＤフィールド５１−ＳＶに登録されたセンサＩＤに対応するセンサ装置ＳＵで監視されている被監視者Ｏｂに対する前記対応の意思の入否を示す対応情報を登録する対応フィールド５６−ＳＶとを備え、イベント通報通信信号の受信ごとにレコードを備える。対応フィールド５６−ＳＶには、前記対応の意思の入否を示す対応情報を示すフラグが登録される。例えば、本実施形態では、対応フィールド５６−ＳＶには、前記対応の意思が携帯端末装置ＴＡに入力されたことを意味するフラグ「１」、あるいは、前記対応の意思が携帯端末装置ＴＡに入力されていないことを意味するフラグ「０」が登録される。イベント通報通信信号が受信されて新たなレコードが生成された場合、対応フィールド５６−ＳＶには、デフォルト値として「０」が登録される。なお、静止画フィールド５４−ＳＶには、例えば、静止画の画像データが登録されて良く、また例えば、静止画の画像データのファイル名が登録されて良い。この図４に示す例では、第１番目のレコードにおいて、各フィールド５１−ＳＶ〜５６−ＳＶそれぞれには、「ＳＵ−１」、「起床」、「０６：３２」、「ＳＰ１」、「＊＊．＊＊．＊＊．＊＊」（＊＊は整数値）および「０」が登録されている。
【００４５】
なお、後述するように携帯端末装置ＴＡも監視情報を記憶するために同様の監視情報テーブルＭＴ−ＴＡが記憶されるため、図４には、監視情報テーブルＭＴ−ＴＡの符号も表示されている。
【００４６】
装置情報記憶部２３２は、前記イベント通報通信信号の通報先等の装置に関する前記装置情報を予め記憶するものである。装置情報記憶部２３２は、前記装置情報として、本実施形態では、イベント通報通信信号の送信元であるセンサ装置ＳＵのセンサＩＤと前記イベント通報通信信号の通報先である端末装置ＳＰ、ＴＡの端末ＩＤとの対応関係を表す情報（通報先情報）、および、各装置ＳＵ、ＳＰ、ＴＡのＩＤ（センサＩＤ、端末ＩＤ）とその通信アドレスとの対応関係を表す情報（通信アドレス情報）等を記憶する。端末ＩＤは、端末装置ＳＰ、ＴＡを特定し端末装置ＳＰ、ＴＡを識別するための端末識別子である。この通報先情報は、本実施形態では、１個の送信元のセンサ装置ＳＵに対し１または複数の通報先の端末装置ＳＰ、ＴＡを設定可能とするために、イベント通報通信信号の送信元であるセンサ装置ＳＵのセンサＩＤと１または複数の端末装置ＳＰ、ＴＡを纏めたグループのグループＩＤとの対応関係を表す情報（通報先グループ情報）、および、前記グループのグループＩＤと前記グループに属する端末装置ＳＰ、ＴＡの端末ＩＤとの対応関係を表す情報（グループ所属情報）を備える。グループＩＤは、端末装置ＳＰ、ＴＡのグループを特定しグループを識別するためのグループ識別子である。
【００４７】
これら装置情報（通報先情報（通報先グループ情報、グループ所属情報）、通信アドレス情報）は、本実施形態では、テーブル形式で装置情報記憶部２３２に記憶されている。この通報先グループ情報を登録する通報先グループ情報テーブルＷＴは、例えば、図４Ａに示すように、イベント通信信号の送信元であるセンサ装置ＳＵの前記センサＩＤを登録するセンサＩＤフィールド６１と、センサＩＤフィールド６１に登録されたセンサＩＤに対応するセンサ装置ＳＵから送信されたイベント通信信号に収容された監視情報を最初に通報する第１の通報先であるグループのグループＩＤを登録する第１通報先フィールド６２と、センサＩＤフィールド６１に登録されたセンサＩＤに対応するセンサ装置ＳＵから送信されたイベント通信信号に収容された監視情報を前記第１の通報先の次に通報する第２の通報先であるグループのグループＩＤを登録する第２通報先フィールド６２とを備え、センサ装置ＳＵごとにレコードを備える。このグループ所属情報を登録するグループ所属情報テーブルＧＴは、例えば、図４Ｂに示すように、グループのグループＩＤを登録するグループＩＤフィールド６４と、グループＩＤフィールド６４に登録されたグループＩＤに対応するグループに所属する端末装置ＳＰ、ＴＡの端末ＩＤを登録する所属端末ＩＤフィールド６５とを備え、グループごとにレコードを備える。この通信アドレス情報を登録する通信アドレス情報テーブルＡＴは、例えば、図４Ｃに示すように、各装置ＳＵ、ＳＰ、ＴＡの各ＩＤを登録する装置ＩＤフィールド６６と、装置ＩＤフィールド６６に登録されたＩＤ（センサＩＤ、端末ＩＤ等）に対応する装置の通信アドレスを登録する通信アドレスフィールド６７とを備え、各装置ＳＵ、ＳＰ、ＴＡごとにレコードを備える。
【００４８】
なお、図４に示す例では、監視情報テーブルＭＴは、動画フィールド５５−ＳＶを備えたが、本実施形態では、上述のように、センサＩＤと、前記センサＩＤを持つセンサ装置ＳＵの通信アドレスとの対応関係が別途にＳＶ記憶部２３に記憶されるので、図４に示す監視情報テーブルＭＴから、動画フィールド５５−ＳＶが省略されても良い。
【００４９】
なお、センサＩＤ、サーバＩＤおよび端末ＩＤそれぞれは、例えば所定の記号列から成るシリアル番号等であって良く、また例えば通信アドレスであって良い（この場合通信アドレス情報は省略できる）。
【００５０】
通報許否情報記憶部２３３は、センサ装置ＳＵで検知され通報された所定の状態を外部へ通報するか否かを表す許否情報と前記所定の状態とを対応付けた通報許否情報を記憶するものである。本実施形態では、前記所定の状態は、上述したように複数の種類を含むので、通報許否情報記憶部２３３は、前記所定の状態における前記複数の種類それぞれについて、前記許否情報と前記種類とを対応付けて前記通報許否情報として記憶する。そして、本実施形態では、センサ装置ＳＵは、複数であることから、通報許否情報記憶部２３３は、前記通報許否情報を各センサ装置ＳＵごとに記憶する。前記通報許否情報は、本実施形態では、テーブル形式で通報許否情報記憶部２３３に記憶されている。この通報許否情報を登録する通報許否情報テーブルＮＴは、例えば、図６に示すように、前記所定の状態の種類を登録する状態種類フィールド７１と、前記状態種類フィールド７２に登録された状態の種類に対応する許否情報を登録する通報許否フィールド７２とを備え、前記状態の種類ごとにレコードを備える。これら状態種類フィールド７１および通報許否フィールド７２を備える通報許否情報テーブルＮＴ（ＮＴ−１、ＮＴ−２、・・・、ＮＴ−ｎ）は、センサ装置ＳＵ（ＳＵ−１、ＳＵ−２、・・・、ＳＵ−ｎ）それぞれに対し用意されている。前記許否情報は、センサ装置ＳＵで検知した所定の状態を通報することを意味するフラグ「０」、および、センサ装置ＳＵで検知した所定の状態を通報しないことを意味するフラグ「１」で表され、通報許否フィールド７２には、フラグ「０」、あるいは、フラグ「１」が登録される。なお、通報許否フィールド７２には、デフォルト値として「０」が登録される。
【００５１】
ＳＶ制御処理部２２は、管理サーバ装置ＳＶの各部を当該各部の機能に応じてそれぞれ制御し、センサ装置ＳＵからイベント通報通信信号を受信して被監視者Ｏｂに対する監視に関する前記監視情報を管理し、前記受信したイベント通報通信信号を所定の端末装置ＳＰ、ＴＡへ通報し、クライアント（本実施形態では端末装置ＳＰ、ＴＡ等）の要求に応じたデータを前記クライアントに提供し、被監視者監視システムＭＳ全体を管理するための回路である。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１およびサーバ側監視処理部（ＳＶ監視処理部）２２２を機能的に備える。
【００５２】
ＳＶ制御部２２１は、管理サーバ装置ＳＶの各部を当該各部の機能に応じてそれぞれ制御し、管理サーバ装置ＳＶの全体制御を司るものである。
【００５３】
ＳＶ監視処理部２２２は、センサ装置ＳＵからイベント通報通信信号を受信した場合に、被監視者Ｏｂに対する監視に関する監視情報をＳＶ監視情報記憶部２３１に記憶（記録）し、前記受信したイベント通報通信信号によって受信された、センサ装置ＳＵで検知され通報された所定の状態を、外部へ通報（再通報、転送、送信）するものである。この通報（再通報等）では、より具体的には、ＳＶ監視処理部２２２は、前記受信したイベント通報通信信号を送信したセンサ装置ＳＵに対応する通報先（再通報先、転送先、送信先）を装置情報記憶部２３２に記憶された前記通報先情報から選定（検索）し、この選定した通報先の端末装置ＳＰ、ＴＡへ前記イベント通報通信信号を送信する。この選定（検索処理）は、前記受信したイベント通報通信信号を送信したセンサ装置ＳＵに対応するセンサＩＤに基づいて実施される。より詳しくは、ＳＶ監視処理部２２２は、まず、前記受信したイベント通報通信信号を送信したセンサ装置ＳＵに対応するセンサＩＤを通報先グループ情報テーブルＷＴの送信元フィールド６１に登録するレコードを通報先グループ情報テーブルＷＴから検索する。次に、ＳＶ監視処理部２２２は、この検索したレコードの第１通報先フィールド６２に登録されたグループＩＤを取り出し、この取り出したグループＩＤをグループ所属情報テーブルＧＴのグループＩＤフィールド６４に登録するレコードをグループ所属情報テーブルＧＴから検索する。次に、ＳＶ監視処理部２２２は、この検索したレコードの所属端末ＩＤフィールド６５に登録された端末ＩＤを取り出す。そして、ＳＶ監視処理部２２２は、この端末ＩＤを持つ端末装置ＳＰ、ＴＡを第１通報先として前記イベント通報通信信号を送信する。そして、このイベント通報通信信号の送信後、所定時間経過後に監視情報テーブルＭＴ−ＳＶを参照して対応フィールド５６−ＳＶに登録されているフラグが未対応の「０」である場合には、ＳＶ監視処理部２２２は、上述の第１通報先フィールド６２に代え第２通報先フィールド６３を用いて上述の処理を実行し、第２通報先の端末装置ＳＰ、ＴＡへ前記イベント通報通信信号を送信する。ここで、前記通報（再通報）されるイベント通報通信信号には、動画のダウンロード先として、前記受信したイベント通報通信信号を送信したセンサ装置ＳＵに対応する通信アドレスがさらに収容される。この通信アドレスは、前記受信したイベント通報通信信号を送信したセンサ装置ＳＵに対応するセンサＩＤに基づいて通信アドレス情報テーブルＡＴから選定（検索）される。そして、このような前記イベント通報通信信号を送信（再通報）する際に、ＳＶ監視処理部２２２は、センサ装置ＳＵで検知され通報された所定の状態を前記イベント通報通信信号の受信によって前記センサ装置ＳＵから受信した場合に、前記受信した所定の状態を通報許否情報記憶部２３３に記憶された通報許否情報に基づいてＳＶ通信ＩＦ部２１で外部へ通報する。より具体的には、ＳＶ監視処理部２２２は、まず、前記受信したイベント通報通信信号に収容されたセンサＩＤに対応する通報許否情報テーブルＮＴを通報許否情報記憶部２３３から取り出す。次に、ＳＶ監視処理部２２２は、この取り出した通報許否情報テーブルＮＴの状態種類フィールド７１に、前記受信したイベント通報通信信号に収容された検知行動情報（イベントの種別）を登録するレコードを前記取り出した通報許否情報テーブルＮＴから検索する。次に、ＳＶ監視処理部２２２は、この検索したレコードの通報許否フィールド７２に登録されているフラグ（許否情報）を取得する。そして、ＳＶ監視処理部２２２は、この取得したフラグに従ってイベント通報通信信号を第１通報先の端末装置ＳＰ、ＴＡへＳＶ通信ＩＦ部２１で通報し、必要に応じて（本実施形態では所定時間経過後でも未対応の場合に）第２通報先の端末装置ＳＰ、ＴＡへＳＶ通信ＩＦ部２１で通報する。すなわち、この取得したフラグが「０」である場合には、ＳＶ監視処理部２２２は、前記イベント通報通信信号を第１通報先の端末装置ＳＰ、ＴＡへＳＶ通信ＩＦ部２１で通報（再通報）し、この取得したフラグが「１」である場合には、ＳＶ監視処理部２２２は、前記イベント通報通信信号通報（再通報）しない。そして、本実施形態では、この取得したフラグが「０」である場合であって所定時間経過後でも未対応の場合に、前記イベント通報通信信号を第２通報先の端末装置ＳＰ、ＴＡへＳＶ通信ＩＦ部２１で通報（再通報）する。このようなＳＶ監視処理部２２２は、前記通報部の一例である。
【００５４】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。
【００５５】
このような管理サーバ装置ＳＶは、例えば、通信機能付きのコンピュータによって構成可能である。
【００５６】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた監視情報を表示したり等することによって、被監視者監視システムＭＳのユーザインターフェース（ＵＩ）として機能する機器である。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の一実施形態は、その一例である携帯端末装置ＴＡについて説明される。
【００５７】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通報によってセンサ装置ＳＵで得られた監視情報（動画を含む）を表示したり、センサ装置ＳＵとの間で音声通話したり等することによって、被監視者Ｏｂに対する前記監視情報を受け付けて表示し、ナースコールの応答や声かけするための機器である。このような携帯端末装置ＴＡは、本実施形態では、例えば、図７に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【００５８】
ＴＡ音入出力部３４は、ＴＡ制御処理部３２に接続され、外部の音を取得して携帯端末装置ＴＡに入力するためのデバイスであって、ＴＡ制御処理部３２の制御に従って音を表す電気信号に応じた音を生成して出力するためのデバイスである。ＴＡ音入出力部３４は、ＳＵ音入出力部１２と同様に、例えば、音響振動を電気信号に変換するマイクロホン等と、音の電気信号を音の音響振動に変換するスピーカ等とを備えて構成される。ＴＡ音入出力部３４は、外部の音を表す電気信号をＴＡ制御処理部３２へ出力し、また、ＴＡ制御処理部３２から入力された電気信号を音の音響振動に変換して出力する。
【００５９】
ＴＡ入力部３５は、ＴＡ制御処理部３２に接続され、例えば、所定の操作を受け付け、携帯端末装置ＴＡに入力するデバイスであり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通報された被監視者Ｏｂに対する例えば救命、看護、介護および介助等の前記対応を実行する意思がある旨（“対応する”）の入力操作等の、監視する上で必要な各種操作等が含まれる。ＴＡ表示部３６は、ＴＡ制御処理部３２に接続され、ＴＡ制御処理部３２の制御に従って、ＴＡ入力部３５から入力された所定の操作内容、および、被監視者監視システムＭＳによって監視されている被監視者Ｏｂに対する監視に関する前記監視情報（例えばセンサ装置ＳＵで検知した所定の状態の種類やナースコールの受付や被監視者Ｏｂの画像（静止画および動画）等）等を表示するデバイスであり、例えばＬＣＤ（液晶ディスプレイ）および有機ＥＬディスプレイ等の表示装置である。本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００６０】
ＴＡＩＦ部３７は、ＴＡ制御処理部３２に接続され、ＴＡ制御処理部３２の制御に従って、外部機器との間でデータの入出力を行うデバイスであり、例えば、Ｂｌｕｅｔｏｏｔｈ（登録商標）規格を用いたインターフェース回路、ＩｒＤＡ規格等の赤外線通信を行うインターフェース回路、および、ＵＳＢ規格を用いたインターフェース回路等である。
【００６１】
ＴＡ通信ＩＦ部３１は、ＳＵ通信ＩＦ部１５と同様に、ＴＡ制御処理部３２に接続され、ＴＡ制御処理部３２の制御に従って通信を行うための通信デバイスである。ＴＡ通信ＩＦ部３１は、例えば、ＩＥＥＥ８０２．１１規格等に従った通信インターフェース回路を備えて構成される。
【００６２】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、センサ装置ＳＵで検知され管理サーバ装置ＳＶへ通報された所定の状態を例えば端末装置ＳＰ、ＴＡ等の外部へ通報するか否かを前記所定の状態と対応付けてＴＡ入力部３５から受け付けてこれらを通報許否情報として管理サーバ装置ＳＶへ送信する通報許否受付処理プログラムや、ＴＡ音入出力部１２等を用いることでセンサ装置ＳＵとの間で音声通話を行うＴＡナースコール処理プログラムや、センサ装置ＳＵから動画の配信を受け、前記配信を受けた動画をストリーミング再生でＴＡ表示部３６に表示するＴＡストリーミング処理プログラム等の制御処理プログラムが含まれる。前記各種の所定のデータでは、自機の端末ＩＤ、ＴＡ表示部３６に表示される表示画面情報、および、被監視者Ｏｂに対する監視に関する前記監視情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。そして、ＴＡ記憶部３３は、前記表示画面情報および前記監視情報それぞれを記憶するために、表示画面記憶部３３１および端末側監視情報記憶部（ＴＡ監視情報記憶部）３３２を機能的に備える。
【００６３】
表示画面記憶部３３１は、ＴＡ制御処理部３２のＴＡ監視処理部３２２の制御に従って、ＴＡ表示部３６に表示するための表示画面等の画像を記憶するものである。ＴＡ監視情報記憶部３３２は、被監視者Ｏｂに対する監視に関する前記監視情報を記憶するものであり、ＳＶ監視情報記憶部２３１と同様の前記監視情報を、ＳＶ監視情報記憶部２３１と同様の、図４に示す監視情報テーブルＭＴ−ＴＡによってテーブル形式で記憶する。
【００６４】
ＴＡ制御処理部３２は、携帯端末装置ＴＡの各部を当該各部の機能に応じてそれぞれ制御し、被監視者Ｏｂに対する前記監視情報を受け付けて表示し、ナースコールの応答や声かけするための回路である。ＴＡ制御処理部３２は、ＳＵ制御処理部１４と同様に、例えば、ＣＰＵおよびその周辺回路を備えて構成される。ＴＡ制御処理部３２は、制御処理プログラムが実行されることによって、端末側制御部（ＴＡ制御部）３２１、端末側監視処理部（ＴＡ監視処理部）３２２、通報許否受付処理部３２３、端末側ナースコール処理部（ＴＡナースコール処理部）３２４および端末側ストリーミング処理部３２５を機能的に備える。
【００６５】
ＴＡ制御部３２１は、携帯端末装置ＴＡの各部を当該各部の機能に応じてそれぞれ制御し、携帯端末装置ＴＡの全体制御を司るものである。
【００６６】
ＴＡ監視処理部３２２は、被監視者Ｏｂに対する監視に関する所定の処理を実行するものである。より具体的には、ＴＡ監視処理部３２２は、管理サーバ装置ＳＶからイベント通報通信信号を受信した場合に、この受信したイベント通報通信信号に収容された各情報（各データ）に基づき、被監視者Ｏｂに対する監視に関する前記監視情報をＴＡ監視情報記憶部３３２に記憶（記録）し、前記受信したイベント通報通信信号に収容された各情報に応じた画面をＴＡ表示部３６に表示する。そして、ＴＡ監視処理部３２２は、所定の入力操作を受け付けると、その入力操作に応じた所定の処理を実行する。
【００６７】
通報許否受付処理部３２３は、センサ装置ＳＵで検知され管理サーバ装置ＳＶへ通報された所定の状態を例えば端末装置ＳＰ、ＴＡ等の外部へ通報するか否かを前記所定の状態と対応付けてＴＡ入力部３５から受け付けてこれらを通報許否情報として管理サーバ装置ＳＶへ送信するものである。
【００６８】
ＴＡナースコール処理部３２４は、ＴＡ音入出力部３４等を用いることでセンサ装置ＳＵとの間で音声通話を行うものである。より具体的には、ＴＡナースコール処理部３２４は、ＴＡ音入出力部３４等を用い、イベント通報通信信号を管理サーバ装置ＳＶへ送信した送信元のセンサ装置ＳＵとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００６９】
ＴＡストリーミング処理部３２５は、センサ装置ＳＵから動画の配信を受け、前記配信を受けた動画をストリーミング再生でＴＡ表示部３６に表示するものである。
【００７０】
このような携帯端末装置ＴＡは、例えば、いわゆるタブレット型コンピュータやスマートフォンや携帯電話機等の、持ち運び可能な通信端末装置によって構成可能である。
【００７１】
次に、本実施形態の動作について説明する。図８は、実施形態の被監視者監視システムにおける第１態様の通報許否設定画面の構成を示す図である。図９は、実施形態の被監視者監視システムにおける管理サーバ装置の通報に関する動作を示すフローチャートである。図１０は、実施形態の被監視者監視システムにおける携帯端末装置に表示される待受け画面の一例を示す図である。図１１は、実施形態の被監視者監視システムにおける携帯端末装置に表示される、静止画を表示した監視情報画面の一例を示す図である。図１２は、実施形態の被監視者監視システムにおける携帯端末装置に表示される、ナースコール受付画面の一例を示す図である。
【００７２】
このような構成の被監視者監視システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、ＳＵナースコール処理部１４３およびＳＵストリーミング処理部１４４が機能的に構成される。管理サーバ装置ＳＶでは、その制御処理プログラムの実行によって、ＳＶ制御処理部２２には、ＳＵ制御部２２１およびＳＶ監視処理部２２２が機能的に構成される。携帯端末装置ＴＡでは、その制御処理プログラムの実行によって、ＴＡ制御処理部３２には、ＴＡ制御部３２１、ＴＡ監視処理部３２２、通報許否受付処理部３２３、ＴＡナースコール処理部３２４およびＳＵストリーミング処理部３２５が機能的に構成される。
【００７３】
まず、通報許否の設定について説明する。この通報許否の設定は、固定端末装置ＳＰや携帯端末装置ＴＡの端末装置ＳＰ、ＴＡで、例えば初期設定の際に、また必要に応じて随時に実行され、端末装置ＳＰ、ＴＡで受け付けた通報許否情報は、通信信号によって端末装置ＳＰ、ＴＡから管理サーバ装置ＳＶへ送信され、管理サーバ装置ＳＶの通報許否情報記憶部２３３に新規にあるいは更新して記憶される。
【００７４】
より具体的には、まず、端末装置ＳＰ、ＴＡは、許否情報を入力して設定するための通報許否設定画面を表示する。以下、ここでは、通報許否の設定は、携帯端末装置ＴＡの動作として説明されるが、固定端末装置ＳＰの動作も同様に説明できる。
【００７５】
通報許否設定画面は、許否情報を設定する対象のセンサ装置ＳＵを特定するために、前記対象のセンサ装置ＳＵに関する情報を表示するための対象センサ装置情報領域と、前記許否情報を前記所定の状態と対応付けて入力するための許否情報入力領域とを備える。より具体的には、通報許否設定画面８０は、例えば、図８に示すように、前記対象センサ装置情報領域として、前記対象のセンサ装置ＳＵによって監視されている被監視者Ｏｂの居室名を表示するための部屋名領域８０１およびその被監視者Ｏｂの氏名を表示するための氏名領域８０２と、許否情報領域８０４と、画面表示を１つ前に戻すための「戻す」ボタン８０８と、通報許否設定画面に入力された入力内容を端末装置ＳＰ、ＴＡに確定入力するための「登録」ボタン８０９とを備える。許否情報領域８０４は、前記許否情報を前記所定の状態における種類に対応付けて入力するために、前記所定の状態における種類名と、その通報の許否を入力するためのチェックボックスとを備える。本実施形態では、前記所定の状態における種類は、起床、離床、転倒、転落、ベッド上の位置および微体動異常であって、転倒および転落が１つに纏められているので、前記種類名と前記チェックボックスとの組は、５組となっている。例えば監視者等のユーザによって、ＴＡ入力部３５を用いて前記チェックボックスにチェック（「レ」）が入れられることで、その状態の通報の許可（要望）が入力され、ＴＡ入力部３５を用いて前記チェックボックスのチェック（「レ」）が外されることで（前記チェックボックスが空欄とされることで）、その状態の通報の不許可（不要望）が入力される。図８に示す例では、通報許否設定画面８０は、さらに、イベント通報通信信号の通報先としてのグループを入力するための通報先設定領域８０３と、動画表示の許否およびプライバシ保護の要否を入力するための動画表示設定領域８０５と、端末装置ＳＰ、ＴＡを用いた声かけの許否を入力するための声かけ設定領域８０６と、ナースコールにおける通話許否を入力するためのナースコール通話設定領域８０７とを備える。前記通報先設定領域８０３は、イベント通報通信信号の第１通報先のグループを入力するための第１通報先設定領域８０３−１と、イベント通報通信信号の第２通報先のグループを入力するための第２通報先設定領域８０３−２とを備える。動画表示設定領域８０５では、プライバシ保護が要求されると、動画は、人物領域（体動領域）に、いわゆるぼかしやモザイクを施されてＴＡ表示部３６に表示される。
【００７６】
「登録」ボタン８０９が入力操作されると、チェックボックスの内容が確定されて端末装置ＳＰ、ＴＡに入力される。通報許否受付処理部３２３は、通報許否設定画面８０を用いて確定入力された許否情報、前記許否情報に対応付けられる前記所定の状態における種類、および、前記通報許否設定画面８０に対応するセンサ装置ＳＵのセンサＩＤ等を収容した通信信号（通報許否受付通信信号）を管理サーバ装置ＳＶへ送信する。管理サーバ装置ＳＶは、通報許否受付通信信号をＳＶ通信ＩＦ部２１で受信すると、この受信した通報許否受付通信信号に収容されたセンサＩＤの通報許否情報テーブルＮＴに、この受信した通報許否受付通信信号に収容された許否情報および種類を互いに対応付けて登録し、通報許否情報記憶部２３３に記憶する。これによって前記センサＩＤを持つセンサ装置ＳＵに関する通報許否情報が通報許否情報記憶部２３３に記憶される。
【００７７】
ユーザは、通報許否設定画面８０における部屋名領域８０１の居室名を変えることで、より具体的には、通報許否設定画面８０における部屋名領域８０１のプルダウンメニューから居室名を順次に選択することで、許否情報を設定する対象のセンサ装置ＳＵを切り換え、各センサ装置ＳＵそれぞれについて、許否情報を通報許否設定画面８０を用いて入力設定し、管理サーバ装置ＳＶに記憶させる。
【００７８】
次に、監視動作について説明する。この監視動作に当たって、携帯端末装置ＴＡでは、電源が投入されて起動され、例えば看護師や介護士等の監視者（ユーザ）によるログイン操作が行われ、ＴＡ監視処理部３２２によって、自機宛の通信信号を待ち受ける待受け画面がＴＡ表示部３６に表示される。この待受け画面８１は、例えば、図１０に示すように、メニューバーを表示するメニューバー領域８１１と、待ち受け中であることを表すメッセージ（例えば「通知はありません」）およびアイコンを表示する待受けメイン領域８１２と、現在時刻を表示する時刻領域８１３と、今日の年月日曜日を表示する年月日曜日領域８１４と、今、当該携帯端末装置ＴＡにログインしているユーザ名を表示するユーザ名領域８１５とを備える。
【００７９】
一方、センサ装置ＳＵは、所定のサンプリング周期でセンサ部１１の出力（本実施形態ではカメラの画像）をサンプリングし、このサンプリングしたセンサ部１１の出力に基づいて被監視者Ｏｂの状態（状況）を判定し、この判定の結果、被監視者Ｏｂが予め設定された所定の状態（例えば、本実施形態では、起床、離床、転倒、転落、ベッド上の位置および微体動異常）であると判定すると、前記検知行動情報に関するイベント通報通信信号をＳＵ通信ＩＦ部１５を介して管理サーバ装置ＳＶへ送信する。また、センサ装置ＳＵは、入力操作によってナースコール受付操作部１３でナースコールを受け付けると、前記ナースコール受付情報に関するイベント通報通信信号をＳＵ通信ＩＦ部１５を介して管理サーバ装置ＳＶへ送信する。
【００８０】
管理サーバ装置ＳＶは、センサ装置ＳＵからイベント通報通信信号（前記検知行動情報に関するイベント通報通信信号および前記ナースコール受付情報に関するイベント通報通信信号を含む）を受信すると、ＳＶ制御処理部２２のＳＶ監視処理部２２２によって、この受信したイベント通報通信信号に基づき、被監視者Ｏｂに対する監視に関する前記監視情報をＳＶ監視情報記憶部２３１に記憶（記録）する。そして、管理サーバ装置ＳＶは、この受信したイベント通報通信信号によってセンサ装置ＳＵで検知され通報された所定の状態を、通報許否情報記憶部２３３に記憶された通報許否情報に基づいて外部へ通報（再通報、転送、送信）する。
【００８１】
より具体的には、管理サーバ装置ＳＶは、監視動作に関し、次のように動作している。図９において、管理サーバ装置ＳＶは、ＳＶ制御部２２１によって、ＳＶ通信ＩＦ部２１で自機宛の通信信号を受信したか否かを判断する（Ｓ１）。この判断の結果、自機宛の通信信号を受信していない場合（Ｎｏ）には、管理サーバ装置ＳＶは、処理をＳ１に戻し、前記判断の結果、自機宛の通信信号を受信している場合（Ｙｅｓ）には、管理サーバ装置ＳＶは、次の処理Ｓ２を実行する。
【００８２】
この処理Ｓ２では、自機宛の通信信号を受信すると、管理サーバ装置ＳＶは、ＳＶ監視処理部２２２によって、この受信した通信信号の種別（種類）を判定する。この判定の結果、前記受信した通信信号がイベント通報通信信号を除く他の通信信号である場合（その他）には、管理サーバ装置ＳＶは、ＳＶ制御処理部２１によって、前記受信した通信信号に応じた適宜な処理（一例では上述の通報許否受付通信信号に関する処理等）を実行し（Ｓ１１）、この本動作を終了する。一方、前記判定の結果、前記受信した通信信号がイベント通報通信信号である場合（イベント通報）には、管理サーバ装置ＳＶは、ＳＶ監視処理部２２２によって、前記受信したイベント通報通信信号に収容されているセンサＩＤ、イベント種別（前記検知行動情報による行動の種類（本実施形態では起床、離床、転倒、転落、ベッド上の位置および微体動異常）またはナースコール受付情報によるナースコールの受付）、イベント時刻（または受信時刻）、静止画の画像データ（またはそのファイル名）および動画を取得するための通信アドレスを、監視情報テーブルＭＴ−ＳＶに登録することで、これらを互いに対応付けてＳＶ監視情報記憶部３２１に記憶し（Ｓ３）、次の処理Ｓ４を実行する。なお、監視情報テーブルＭＴ−ＳＶに前記各情報を登録する際に、ＳＶ監視処理部２２２は、その対応フィールド５６−ＳＶにはデフォルトのフラグ「０」を登録する。
【００８３】
処理Ｓ４では、管理サーバ装置ＳＶは、ＳＶ監視処理部２２２によって、センサ装置ＳＵで検知され通報された所定の状態を外部へ通報許可されているか否かを判定する。より具体的には、ＳＶ監視処理部２２２は、まず、前記受信したイベント通報通信信号に収容されたセンサＩＤに対応する通報許否情報テーブルＮＴを通報許否情報記憶部２３３から取り出す。次に、ＳＶ監視処理部２２２は、この取り出した通報許否情報テーブルＮＴの状態種類フィールド７１に、前記受信したイベント通報通信信号に収容された検知行動情報（イベントの種別）を登録するレコードを前記取り出した通報許否情報テーブルＮＴから検索する。そして、ＳＶ監視処理部２２２は、この検索したレコードの通報許否フィールド７２に登録されているフラグ（許否情報）を取得し、この取得したフラグに従って外部への通報が許可されているか否かを判定する。すなわち、この取得したフラグが「０」である場合には、ＳＶ監視処理部２２２は、外部への通報が許可されていると判定し（Ｙｅｓ）、ＳＶ監視処理部２２２は、次の処理Ｓ５を実行する。一方、この取得したフラグが「１」である場合には、ＳＶ監視処理部２２２は、外部への通報が許可されていないと判定し（Ｎｏ）、ＳＶ監視処理部２２２は、この本動作を終了する。
【００８４】
処理Ｓ５では、管理サーバ装置ＳＶは、ＳＶ監視処理部２２２によって。前記受信したイベント通報通信信号を第１通報先の端末装置ＳＰ、ＴＡへＳＶ通信ＩＦ部２１で通報（再通報）する。より具体的には、ＳＶ監視処理部２２２は、まず、前記受信したイベント通報通信信号に収容されたセンサＩＤを通報先グループ情報テーブルＷＴの送信元フィールド６１に登録するレコードを通報先グループ情報テーブルＷＴから検索し、この検索したレコードの第１通報先フィールド６２に登録されたグループＩＤを取り出す。次に、ＳＶ監視処理部２２２は、この取り出したグループＩＤをグループ所属情報テーブルＧＴのグループＩＤフィールド６４に登録するレコードをグループ所属情報テーブルＧＴから検索し、この検索したレコードの所属端末ＩＤフィールド６５に登録された端末ＩＤを取り出す。次に、ＳＶ監視処理部２２２は、この端末ＩＤを持つ端末装置ＳＰ、ＴＡを第１通報先として前記イベント通報通信信号を送信する。これによって被監視者Ｏｂの状態（状況）が第１通報先の端末装置ＳＰ、ＴＡを介して例えば看護師や介護士等の監視者に報知される。そして、ＳＶ監視処理部２２２は、前記受信したイベント通報通信信号に収容されたセンサＩＤに対し、前記所定時間の経過を計時するタイマーをＳＶ制御処理部２２に機能的に形成して計時を開始し、この本動作を終了する。
【００８５】
一方、前記タイマーが前記所定時間の経過によってタイムアップした場合には、管理サーバ装置ＳＶは、ＳＶ監視処理部２２２によって、このタイムアップしたタイマーに対応付けられているセンサＩＤをセンサＩＤフィールド５１−ＳＶに登録するレコードを、監視情報テーブルＭＴ−ＳＶから検索し、この検索したレコードにおける対応フィールド５６−ＳＶに未対応のフラグ「０」を登録している場合には、前記受信したイベント通報通信信号を第２通報先の端末装置ＳＰ、ＴＡへＳＶ通信ＩＦ部２１で通報（再通報）する。これによって被監視者Ｏｂの状態（状況）が第２通報先の端末装置ＳＰ、ＴＡを介して例えば看護師や介護士等の監視者に報知される。
【００８６】
管理サーバ装置ＳＶは、被監視者Ｏｂの監視に関し、このように動作している。
【００８７】
そして、固定端末装置ＳＰおよび携帯端末装置ＴＡそれぞれは、イベント通報通信信号を管理サーバ装置ＳＶから受信すると、この受信したイベント通報通信信号に基づき、被監視者Ｏｂに対する監視に関する前記監視情報を記憶（記録）し、この受信したイベント通報通信信号に収容された情報に応じた、例えば監視情報画面およびナースコール受付画面等の画面をＴＡ表示部３６に表示する。
【００８８】
前記監視情報画面８２ａは、一例では、図１１に示すように、メニューバー領域８１１と、センサＩＤのセンサ装置ＳＵの配設場所および前記センサＩＤの前記センサ装置ＳＵによって監視される被監視者Ｏｂの名前を表示する被監視者名領域８２１と、イベント時刻（または受信時刻）からの経過時間および前記検知行動情報によって表される検知結果を象徴的に表すアイコンを表示するアイコン領域８２２と、前記センサＩＤの前記センサ装置ＳＵによって撮像された画像（ここでは静止画）を表示する画像領域８２３と、「対応する」ボタン８２４と、「話す」ボタン８２５と、「ＬＩＶＥを見る」ボタン８２６とを備える。「対応する」ボタン８２４は、前記センサＩＤの前記センサ装置ＳＵによって監視される被監視者Ｏｂに対する例えば救命、看護、介護および介助等の前記対応を実行する意思が当該携帯端末装置ＴＡのユーザにあることを当該携帯端末装置ＴＡに入力するためのボタンである。「話す」ボタン８２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン８２６は、ライブでの動画を要求するためのボタンであって、前記センサＩＤの前記センサ装置ＳＵによって撮像される動画を表示させる指示を入力するためのボタンである。
【００８９】
前記ナースコール受付画面８２ｂは、一例では、図１２に示すように、メニューバー領域８１１と、被監視者名領域８２１と、ナースコールを受け付けたことを表すメッセージ（例えば「ナースコール」）およびそのアイコンを表示するナースコール受付メイン領域８２９と、「話す」ボタン８２５とを備える。このナースコール受付画面８２ｂでは、ナースコール受付メイン領域８２９は、「対応する」ボタン８２４と兼用されている。
【００９０】
このような監視情報画面８２ａやナースコール受付画面８２ｂでは、例えば、「ＬＩＶＥを見る」ボタン５２６の入力操作を受け付けると、携帯端末装置ＴＡは、ＴＡ制御処理部３２のＴＡストリーミング処理部３２５によって、現在、ＴＡ表示部３６に表示している被監視者Ｏｂを監視するセンサ装置ＳＵへ、ライブでの動画の配信を要求する旨等の情報を収容した通信信号（動画配信要求通信信号）を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。このライブでの動画は、例えば、図１１に示す監視情報画面８２ａにおいて、画像領域８２３の静止画に代えて表示され、この動画を表示する監視情報画面８２ａでは、「ＬＩＶＥを見る」ボタン５２６に代え「ＬＩＶＥ終了」ボタン（不図示）が表示される。前記「ＬＩＶＥ終了」ボタンは、動画の終了を要求するためのボタンであって、前記センサＩＤの前記センサ装置ＳＵによって撮像される動画の配信を終了（停止）させ表示を終了（停止）させる指示を入力するためのボタンである。前記「ＬＩＶＥ終了」ボタンの入力操作を受け付けると、携帯端末装置ＴＡは、ＴＡ制御処理部３２によって、ＴＡストリーミング処理部３２４によって、現在、ＴＡ表示部３６に表示している被監視者Ｏｂを監視するセンサ装置ＳＵへ、動画配信の終了を要求する旨等の情報を収容した通信信号（動画配信終了通信信号）を送信し、静止画を表示する監視情報画面５２ａをＴＡ表示部３６に表示する。
【００９１】
また例えば、「話す」ボタン８２５の入力操作を受け付けると、携帯端末装置ＴＡは、ＴＡ制御処理部３２によって、ＴＡナースコール処理部３２３によって、ＴＡ表示部３６に表示している被監視者Ｏｂを監視するセンサ装置ＳＵへ、音声通話を要求する旨等の情報を収容した通信信号（通話要求通信信号）を送信し、これに応じたセンサ装置ＳＵとネットワークＮＷを介して音声通話可能に接続する。これによって携帯端末装置ＴＡとセンサ装置ＳＵとの間で音声通話が可能となる。前記音声通話可能に接続されている場合には、音声通話の終了の指示を入力するためのボタンである図略の「終了」ボタンがＴＡ表示部３６に表示される。前記「終了」ボタンの入力操作を受け付けると、携帯端末装置ＴＡは、ＴＡ制御処理部３２によって、ＴＡナースコール処理部３２３によって、ＴＡ表示部３６に表示している被監視者Ｏｂを監視するセンサ装置ＳＵへ、音声通話の終了を要求する旨等の情報を収容した通信信号（通話終了通信信号）を送信し、静止画を表示する監視情報画面５２ａをＴＡ表示部３６に表示する。
【００９２】
また例えば、「対応する」ボタン８２４、８２９の入力操作を受け付けると、携帯端末装置ＴＡは、ＴＡ制御処理部３２によって、現在、ＴＡ表示部３６に表示している被監視者Ｏｂの監視情報に対応するセンサＩＤをセンサＩＤフィールド５１−ＴＡに登録しているレコードにおける、対応フィールド５６−ＴＡにフラグ「１」を登録し、当該携帯端末装置ＴＡにログインしている監視者（ユーザ）が、現在、ＴＡ表示部３６に表示している被監視者Ｏｂに対する例えば看護等の前記対応を実行する意思があること通知するための通信信号（対応通知通信信号）を、管理サーバ装置ＳＶへ送信する。この対応通知通信信号には、前記対応を実行する意思が入力されたことを表す情報（対応意思受付情報）、前記対応の対象を表す情報として、ＴＡ表示部３６に表示している被監視者Ｏｂの監視情報に対応するセンサＩＤ、および、前記対応を実行する主体を表す情報として、当該携帯端末装置ＴＡの端末ＩＤ等が収容される。この対応通知通信信号を受信した管理サーバ装置ＳＶは、ＳＶ監視処理部２２２によって、前記受信した対応通知通信信号に収容されたセンサＩＤをセンサＩＤフィールド５１−ＳＶに登録しているレコードにおける、対応フィールド５６−ＳＶにフラグ「１」を登録する。
【００９３】
このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂを監視している。
【００９４】
以上説明したように、本実施形態における被監視者監視システムＭＳ、前記中央処理装置の一例である管理サーバ装置ＳＶおよびこれに実装された方法は、通報許否情報記憶部２３３に、センサ装置ＳＵで検知され通報された所定の状態を通報するか否かを記憶でき、この通報許否情報記憶部２３３の記憶内容に従って、前記通報部の一例であるＳＶ監視処理部２２２によって、センサ装置ＳＵで検知され通報された所定の状態を外部へ通報するか否かを選択できる。このため、上記被監視者監視システムＭＳ、管理サーバ装置ＳＶおよびその方法では、例えば監視者等のユーザは、通報許否情報記憶部２３３に、例えば被監視者Ｏｂの個性等によって誤判定や判定漏れし易い状態を外部への通報の対象から除外したり、外部への通報を望む状態を通報の対象に入れたり（言い換えれば外部への通報を望まない状態を通報の対象から除外したり）できる。したがって、上記被監視者監視システムＭＳ、管理サーバ装置ＳＶおよびその方法は、被監視者Ｏｂにおける所定の状態を適正に通報できる。
【００９５】
本実施形態における被監視者監視システムＭＳ、管理サーバ装置ＳＶおよびその方法は、前記所定の状態における前記複数の種類ごとに、外部へ通報するか否かを選択でき、前記所定の状態における前記複数の種類ごとに適正に通報できる。
【００９６】
なお、上述の実施形態では、通報許否情報は、端末装置ＳＰ、ＴＡで受け付けられ、端末装置ＳＰ、ＴＡから管理サーバ装置ＳＶへ送信されて記憶されたが、管理サーバ装置ＳＶが上述したようにＳＶ入力部２４およびＳＶ出力部２５を備える場合に、ＳＶ入力部２４で受け付けられ、記憶されても良い。
【００９７】
また、上述の実施形態では、前記所定の状態における種類は、起床、離床、転倒、転落、ベッド上の位置および微体動異常であるが、これに限定されるものではなく、他の態様であっても良い。
【００９８】
例えば、前記所定の状態における種類は、座位を含んでも良く、また例えば、寝具上の座位を含んで良く、また例えば、寝具の縁における座位（腰掛け）であっても良い。この場合、画像上での寝具の領域がＳＵ記憶部１６に予め記憶される。また、寝具上において、予め設定された判定時間（例えば３時間、４時間および５時間等）以上継続した横臥の姿勢から座位の姿勢へ変化した場合には、前記座位の姿勢は、前記起床と判定され、前記判定時間未満の横臥の姿勢から座位の姿勢へ変化した場合には、前記座位の姿勢は、前記寝具上の座位と判定される。
【００９９】
また例えば、前記所定の状態における種類は、被監視者Ｏｂにおける頭部の大きさが変化（拡大または縮小）した状態（頭部変化）を含んでも良い。この場合、例えば、所定の判定閾値がＳＵ記憶部１６に予め記憶され、行動検知処理部１４２は、前記動体領域から例えば円形のハフ変換や頭部パターンを用いたパターンマッチング等によって頭部領域を抽出し、頭部領域の大きさが予め設定された所定時間（例えば５秒や１０秒等）の間変化しない静止状態における前記頭部領域の大きさを基準に、頭部領域の大きさが前記判定閾値以上に変化（拡大または縮小）した場合、前記頭部変化と判定し前記頭部変化を検知する。前記頭部の大きさは、例えば、面積、短軸方向の長さあるいは長軸方向の長さで定義される。
【０１００】
また例えば、前記所定の状態における種類は、被監視者Ｏｂが例えばベッド等の寝具の周辺から予め設定された距離（例えば０．５ｍ、１ｍおよび１．５ｍ等）以内である周辺領域内に存在する状態（寝具周辺領域内存在）を含んでも良い。この場合、例えば、所定の周辺領域がＳＵ記憶部１６に予め記憶され、行動検知処理部１４２は、前記動体領域が前記周辺領域内に存在する場合、前記寝具周辺領域内存在と判定し前記寝具周辺領域内存在を検知する。
【０１０１】
また例えば、前記所定の状態における種類は、被監視者Ｏｂが居室ＲＭ内における予め設定された領域（居室設定領域）内に存在する状態（居室設定領域内存在）を含んでも良い。この場合、例えば、所定の居室設定領域がＳＵ記憶部１６に予め記憶され、行動検知処理部１４２は、前記動体領域が前記居室設定領域内に存在する場合、前記居室設定領域内存在と判定し前記居室設定領域内存在を検知する。
【０１０２】
この居室設定領域の設定では、例えば、図１３に示す第２態様の通報許否設定画面８３が用いられる。図１３は、実施形態の被監視者監視システムにおける第２態様の通報許否設定画面の構成を示す図である。この図１３に示す第２態様の通報許否設定画面８３は、前記部屋名領域８０１と、前記氏名領域８０２と、通報先設定領域８０３と、前記「戻す」ボタン８０８と、前記「登録」ボタン８０９と、前記居室設定領域を入力するための領域設定領域８３１とを備える。領域設定領域８３１には、前記対象のセンサ装置ＳＵが配設されている居室ＲＭの平面図と、前記居室ＲＭを２次元マトリクス状に区分けした複数の矩形領域それぞれの各境界を示す境界線とが表示される。前記境界線は、図１３では、破線で示されている。そして、入力操作によって１または複数の前記矩形領域が指定され（例えばマウスによってカーソルが１または複数の前記矩形領域に合わせられて左クリックされ）、「登録」ボタン８０９が入力操作されると、この１または複数の前記矩形領域が前記居室設定領域として確定されて通報許可と対応付けて端末装置ＳＰ、ＴＡに入力される。通報許否受付処理部３２３は、通報許否設定画面８３を用いて確定入力された居室設定領域および許否情報（通報許可）、ならびに、前記通報許否設定画面８３に対応するセンサ装置ＳＵのセンサＩＤ等を収容した通信信号（居室設定領域受付通信信号）を管理サーバ装置ＳＶへ送信する。管理サーバ装置ＳＶは、居室設定領域受付通信信号をＳＶ通信ＩＦ部２１で受信すると、この受信した居室設定領域受付通信信号に収容されたセンサＩＤ、居室設定領域および許否情報（通報許可）を互いに対応付けて通報許否情報記憶部２３３に記憶する。これによって前記センサＩＤを持つセンサ装置ＳＵに関する居室設定領域および許否情報（通報許可）が通報許否情報記憶部２３３に記憶される。
【０１０３】
また、上述の実施形態において、前記所定の状態は、複数の種類を含み、通報許否情報記憶部２３３は、前記所定の状態における前記複数の種類のうちの全部または一部の組合せを前記所定の状態における新たな１つの種類として、前記組合せに対する許否情報と前記組合せとを対応付けて前記通報許否情報として記憶し、図３に破線で示すように、センサ装置ＳＵで検知され通報された所定の状態をセンサ装置ＳＵから受信するたびに、通報許否情報記憶部２３３に記憶された前記組合せに当たるか否かを判定する組合せ判定部２２３をＳＶ制御処理部２２に機能的にさらに備え、前記通報部の一例としてのＳＶ監視処理部２２２は、さらに、組合せ判定部２２３で前記組合せに当たると判定された場合に、前記判定された組合せを通報許否情報記憶部２３３に記憶された通報許否情報に基づいて外部へ通報しても良い。このような被監視システムＭＳ、管理サーバ装置ＳＶおよびその方法は、個々の種類を複数組み合わせた組合せ（セット）で外部へ通報するか否かを選択でき、前記組合せに対して適正に通報できる。そして、この態様において、前記組合せは、前記所定の状態における前記複数の種類の時系列順、前記所定の行動における前記複数の種類それぞれの回数、および、前記所定の状態における前記複数の種類の時系列順を含む場合に前記複数の種類間の遷移時間のうちの１または複数を含み、通報許否情報記憶部２３３は、前記組合せに含まれる、前記時系列順、前記回数および前記遷移時間のうちの１または複数を前記組合せに対応付けてさらに記憶しても良い。このような被監視システムＭＳ、管理サーバ装置ＳＶおよびその方法は、前記組合せで通報の許否を選択する場合に、さらに、前記時系列順、前記回数および前記遷移時間のうちの１または複数も選択して設定できる。
【０１０４】
この組合せの設定では、例えば、図１４に示す第３態様の通報許否設定画面８４が用いられる。図１４は、実施形態の被監視者監視システムにおける第３態様の通報許否設定画面の構成を示す図である。この図１４に示す第３態様の通報許否設定画面８４は、前記部屋名領域８０１と、前記氏名領域８０２と、通報先設定領域８０３と、前記「戻す」ボタン８０８と、前記「登録」ボタン８０９と、組み合わせる状態の種類を入力するための組合せ状態種類設定領域８４１（８４１−１〜８４１−４）と、組み合わされる状態の種類に対するその回数を入力するための回数設定領域８４２（８４２−１〜８４２−４）と、組み合わされる状態の種類間における遷移時間を入力するための遷移時間設定領域８４３（８４３−１〜８４３−３）と、組み合わせる状態の種類を追加するための「追加」ボタン８４４とを備える。図１４に示す例では、通報許否設定画面８４は、４個の第１ないし第４組合せ状態種類設定領域８４１−１〜８４１−４と、これに対応した４個の第１ないし第４回数設定領域８４２−１〜８４２−４と、これに対応した３個の第１ないし第３遷移時間設定領域８４３−１〜８４３−３とを備えている。例えば、寝具上の位置の右寄りが１回検知され、その後１分以内に、寝具の縁における座位（腰掛け）が１回検知され、その後１分以内に、寝具周辺領域５０ｃｍ内の存在が１回検知され、その後１５秒以内に、居室設定領域（０，０）内の存在が１回検知される組合せが通報許否設定画面８４に入力される場合、第１組合せ状態種類設定領域８４１−１に「右寄り」が入力され、これに対応する第１回数設定領域８４２−１に「１」が入力され、第１および第２組合せ状態種類設定領域８４１−１、８４１−２に対応する第１遷移時間設定領域８４３−１に「１分」が入力され、第２組合せ状態種類設定領域８４１−２に「腰掛け」が入力され、これに対応する第２回数設定領域８４２−２に「１」が入力され、「追加」ボタン８４４が入力操作され、この「追加」ボタン８４４の入力操作に応じて形成された第２および第３組合せ状態種類設定領域８４１−２、８４１−３に対応する第２遷移時間設定領域８４３−２に「１分」が入力され、前記「追加」ボタン８４４の入力操作に応じて形成された第３組合せ状態種類設定領域８４１−３に「５０ｃｍ内」が入力され、前記「追加」ボタン８４４の入力操作に応じて形成された第３回数設定領域８４２−３に「１」が入力され、「追加」ボタン８４４が入力操作され、この「追加」ボタン８４４の入力操作に応じて形成された第３および第４組合せ状態種類設定領域８４１−３、８４１−４に対応する第３遷移時間設定領域８４３−３に「１５秒」が入力され、前記「追加」ボタン８４４の入力操作に応じて形成された第４組合せ状態種類設定領域８４１−４に「（０，０）領域」が入力され、前記「追加」ボタン８４４の入力操作に応じて形成された第４回数設定領域８４２−４に「１」が入力され、「登録」ボタン８０９が入力操作される。「登録」ボタン８０９が入力操作されると、これら組み合わされた状態の種類（上述の例では「寝具上の位置の右寄り」、「寝具の縁における座位（腰掛け）」、「寝具周辺領域５０ｃｍ内の存在」および「居室設定領域（０，０）内の存在」）、その時系列順（上述の例では「寝具上の位置の右寄り」、「寝具の縁における座位（腰掛け）」、「寝具周辺領域５０ｃｍ内の存在」および「居室設定領域（０，０）内の存在」の順）、それらの各回数（上述の例では各種類それぞれについて１回）、および、それらの各遷移時間（上述の例では「寝具上の位置の右寄り」から「寝具の縁における座位（腰掛け）」への遷移時間が１分以内、「寝具の縁における座位（腰掛け）」から「寝具周辺領域５０ｃｍ内の存在」への遷移時間が１分以内、および、「寝具周辺領域５０ｃｍ内の存在」から「居室設定領域（０，０）内の存在」への遷移時間が１５秒以内）が前記組合せとして確定されて通報許可と対応付けて端末装置ＳＰ、ＴＡに入力される。通報許否受付処理部３２３は、通報許否設定画面８４を用いて確定入力された前記状態の種類、その時系列順、それらの各回数、それらの各遷移時間および許否情報（通報許可）、ならびに、前記通報許否設定画面８４に対応するセンサ装置ＳＵのセンサＩＤ等を収容した通信信号（組合せ受付通信信号）を管理サーバ装置ＳＶへ送信する。管理サーバ装置ＳＶは、組合せ受付通信信号をＳＶ通信ＩＦ部２１で受信すると、この受信した組合せ受付通信信号に収容されたセンサＩＤ、前記状態の種類、その時系列順、それらの各回数、それらの各遷移時間および許否情報（通報許可）を互いに対応付けて通報許否情報記憶部２３３に記憶する。これによって前記センサＩＤを持つセンサ装置ＳＵに関する組合せおよび許否情報（通報許可）が通報許否情報記憶部２３３に記憶される。そして、管理サーバ装置ＳＶは、組合せ判定部２２３によって、イベント通報通信信号を受信するたびに、通報許否情報記憶部２３３に記憶された前記組合せに当たるか否かを判定し、前記判定の結果、前記組合せに当たると判定すると、この判定した組合せをＳＶ監視処理部２２２へ通知する。この通知を受けたＳＶ監視処理部２２２は、前記判定した組合せを表す情報、前記組合せを判定した時刻、前記受信したイベント通報通信信号に収容されたセンサＩＤおよび静止画、ならびに、動画の取得先としての通信アドレス等を収容した通信信号を新たなイベント通報通信信号として生成し、前記受信したイベント通報通信信号に収容された前記センサＩＤに対応する通報先の端末装置ＳＰ、ＴＡへ通報許否情報記憶部２３３の許否情報に基づいてＳＶ通信ＩＦ部２１で送信する。
【０１０５】
本明細書は、上記のように様々な態様の技術を開示しているが、そのうち主な技術を以下に纏める。
【０１０６】
一態様にかかる中央処理装置は、監視対象である被監視者における所定の状態を検知して通報するセンサ装置と、前記センサ装置と通信可能に接続され、前記センサ装置で検知され通報された所定の状態を前記センサ装置から受信して外部へ通報する中央処理装置とを備える被監視者監視システムの前記中央処理装置であって、通信を行う通信部と、前記センサ装置で検知され通報された所定の状態を外部へ通報するか否かを表す許否情報と前記所定の状態とを対応付けた通報許否情報を記憶する通報許否情報記憶部と、前記センサ装置で検知され通報された所定の状態を前記センサ装置から受信した場合に、前記受信した所定の状態を前記通報許否情報記憶部に記憶された通報許否情報に基づいて外部へ通報する通報部とを備える。
【０１０７】
このような中央処理装置は、前記通報許否情報記憶部に、前記センサ装置で検知され通報された所定の状態を通報するか否かを記憶でき、この通報許否情報記憶部の記憶内容に従って、前記通報部によって、前記センサ装置で検知され通報された所定の状態を外部へ通報するか否かを選択できる。このため、上記中央処理装置では、例えば監視者等のユーザは、前記通報許否情報記憶部に、例えば前記被監視者の個性等によって誤判定や判定漏れし易い状態を外部への通報の対象から除外したり、外部への通報を望む状態を通報の対象に入れたり（言い換えれば外部への通報を望まない状態を通報の対象から除外したり）できる。したがって、上記中央処理装置は、被監視者における所定の状態を適正に通報できる。
【０１０８】
他の一態様では、上述の中央処理装置において、前記所定の状態は、複数の種類を含み、前記通報許否情報記憶部は、前記所定の状態における前記複数の種類それぞれについて、前記許否情報と前記種類とを対応付けて前記通報許否情報として記憶する。
【０１０９】
このような中央処理装置は、前記所定の状態における前記複数の種類ごとに、外部へ通報するか否かを選択でき、前記所定の状態における前記複数の種類ごとに適正に通報できる。
【０１１０】
他の一態様では、上述の中央処理装置において、前記所定の状態は、複数の種類を含み、前記通報許否情報記憶部は、前記所定の状態における前記複数の種類のうちの全部または一部の組合せを前記所定の状態における新たな１つの種類として、前記組合せに対する許否情報と前記組合せとを対応付けて前記通報許否情報として記憶し、前記センサ装置で検知され通報された所定の状態を前記センサ装置から受信するたびに、前記通報許否情報記憶部に記憶された前記組合せに当たるか否かを判定する組合せ判定部をさらに備え、前記通報部は、さらに、前記組合せ判定部で前記組合せに当たると判定された場合に、前記判定された組合せを前記通報許否情報記憶部に記憶された通報許否情報に基づいて外部へ通報する。
【０１１１】
このような中央処理装置は、個々の種類を複数組み合わせた組合せ（セット）で外部へ通報するか否かを選択でき、前記組合せに対して適正に通報できる。
【０１１２】
他の一態様では、上述の中央処理装置において、前記組合せは、前記所定の状態における前記複数の種類の時系列順、前記所定の行動における前記複数の種類それぞれの回数、および、前記所定の状態における前記複数の種類の時系列順を含む場合に前記複数の種類間の遷移時間のうちの１または複数を含み、前記通報許否情報記憶部は、前記組合せに含まれる、前記時系列順、前記回数および前記遷移時間のうちの１または複数を前記組合せに対応付けてさらに記憶する。
【０１１３】
このような中央処理装置は、前記組合せで通報の許否を選択する場合に、さらに、前記時系列順、前記回数および前記遷移時間のうちの１または複数も選択して設定できる。
【０１１４】
他の一態様にかかる中央処理方法は、監視対象である被監視者における所定の状態を検知して通報するセンサ装置と、前記センサ装置と通信可能に接続され、前記センサ装置で検知され通報された所定の状態を前記センサ装置から受信して外部へ通報する中央処理装置とを備える被監視者監視システムの中央処理方法であって、通信を行う通信工程と、前記センサ装置で検知され通報された所定の状態を外部へ通報するか否かを表す許否情報と前記所定の状態とを対応付けた通報許否情報を通報許否情報記憶部に記憶する通報許否情報記憶工程と、前記センサ装置で検知され通報された所定の状態を前記センサ装置から受信した場合に、前記受信した所定の状態を前記通報許否情報記憶部に記憶された通報許否情報に基づいて外部へ通報する通報工程とを備える。
【０１１５】
このような中央処理方法は、前記通報許否情報記憶部に、前記センサ装置で検知され通報された所定の状態を通報するか否かを記憶でき、この通報許否情報記憶部の記憶内容に従って、前記通報工程によって、前記センサ装置で検知され通報された所定の状態を外部へ通報するか否かを選択できる。このため、上記中央処理方法では、例えば監視者等のユーザは、前記通報許否情報記憶部に、例えば前記被監視者の個性等によって誤判定や判定漏れし易い状態を外部への通報の対象から除外したり、外部への通報を望む状態を通報の対象に入れたり（言い換えれば外部への通報を望まない状態を通報の対象から除外したり）できる。したがって、上記中央処理方法は、被監視者における所定の状態を適正に通報できる。
【０１１６】
そして、他の一態様にかかる被監視者監視システムは、監視対象である被監視者における所定の状態を検知して通報するセンサ装置と、前記センサ装置と通信可能に接続され、前記センサ装置で検知され通報された所定の状態を前記センサ装置から受信して外部へ通報する中央処理装置とを備える被監視者監視システムであって、前記中央処理装置は、これら上述のいずれかの中央処理装置である。
【０１１７】
このような被監視者監視システムは、これら上述のいずれかの中央処理装置を用いるので、被監視者における所定の状態を適正に通報できる。
【０１１８】
この出願は、２０１５年１１月１１日に出願された日本国特許出願特願２０１５−２２１４４８を基礎とするものであり、その内容は、本願に含まれるものである。
【０１１９】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１２０】
本発明によれば、被監視者監視システムの中央処理装置および中央処理方法ならびに前記被監視者監視システムが提供できる。
【図１】
2020098619.tif 000003
【図２】
2020098619.tif 000004
【図３】
2020098619.tif 000005
【図４】
2020098619.tif 000006
【図５】
2020098619.tif 000007
【図６】
2020098619.tif 000008
【図７】
2020098619.tif 000009
【図８】
2020098619.tif 000010
【図９】
2020098619.tif 000011
【図１０】
2020098619.tif 000012
【図１１】
2020098619.tif 000013
【図１２】
2020098619.tif 000014
【図１３】
2020098619.tif 000015
【図１４】
2020098619.tif 000016